(57)【要約】【課題】把持が容易で投てきに適したマーキング物品を提供するを提供する。【解決手段】マーキング物品であって、球状、扁平球状、紡錘形状、及び雫形状のいずれかの外形を備え、衝撃により損壊可能な容器部と、この容器部の一部に備えられる把持部とを備え、少なくとも前記容器部に、液状のマーキング用組成物が充てんされているようにする。【選択図】図１
2004184025.tif 000002
【特許請求の範囲】
【請求項１】
マーキング物品であって、
球状、扁平球状、紡錘形状、雫形状、柱状、角錐状、及び円錐状のいずれかの外形を備え、衝撃により損壊可能な容器部と、この容器部の一部に備えられる把持部とを備え、少なくとも前記容器部に、液状のマーキング用組成物が充てんされている、物品。
【請求項２】
前記把持部の外形は棒状体である、請求項１記載の物品。
【請求項３】
前記把持部は、前記容器部内部と連通する筒状である、請求項１又は２に記載の物品。
【請求項４】
前記マーキング用組成物は、着色料と粒材とを含有する、請求項１〜３のいずれかに記載の物品。
【請求項５】
前記マーキング用組成物は、炭酸ガス発生剤を含有する、請求項１〜４のいずれかに記載の物品。
【請求項６】
前記マーキング用組成物は、香料を含有する、請求項１〜５のいずれかに記載の物品。
【請求項７】
前記マーキング用組成物は、不凍液を含有する、請求項１〜６のいずれかに記載の物品。
【請求項８】
前記容器本体には、炭酸ガスが充てんされている、請求項１〜７のいずれかに記載の物品。
【請求項９】
マーキング用組成物であって、
塗料と粒材と香料とを含有する、組成物。
【請求項１０】
さらに、炭酸ガス発生剤を含有する、請求項９記載の組成物。
【発明の詳細な説明】
【０００１】
【発明の属する技術分野】
本発明は、マーキング物品に関し、特に、投てきなど好都合であり把持が容易なマーキング物品に関する。
【０００２】
【従来の技術】
従来より、犯罪発生時やその捜査においてはマーキングする必要がある場合が生じうる。このようなマーキングのための物品として、例えば、手でつかみえるような大きさのボール状であって衝撃により破壊し得る容器に塗料等を充てんしたものがある（特許文献１）。
【０００３】
【特許文献１】
特開平２−３７１１３号公報
【０００４】
【発明が解決しようとする課題】
しかしながら、かかるマーキング物品は、把持可能なボール状であって投てきにはおおよそ適するものの、ボール状のものを遠くにある程度の正確性で投てきすることは実際には難しく、必ずしもマーキングという本来の目的を達成するのは容易ではなかった。
また、従来、その着色性によりマーキングすること以外については検討されていないし、そのマーキング性向上といった点についても未だ試みられていない。そこで、本発明では、把持が容易で投てきに適したマーキング物品を提供することをその目的とする。
また、本発明は、マーキング性能に優れたマーキング組成物及びマーキング物品を提供することを目的とする。
【０００５】
【課題を解決するための手段】
本発明者は、第一にマーキング用組成物が充てんされかつ投てきされる容器本体について検討したところ、容器部以外を把持させるようにすることでより遠い距離投てきが可能となり、しかも、標的到達の正確性が向上することを見出した。
また、第２に、マーキング用組成物に、粒材を混合することで着色料等のマーキング成分の付着性が向上すること、さらに、炭酸ガスなどのガスを充てんするかあるいはガス発生剤を混合することでマーキング成分の拡散性を向上できること、さらに、マーキングに、着色以外に香料を使用することによりその追跡性を高められることを見出した。
本発明者によって得られたこれらの知見により、以下の手段が提供される。
【０００６】
（１）マーキング物品であって、
球状、扁平球状、紡錘形状、雫形状、柱状、角錐状、及び円錐状のいずれかの外形を備え、衝撃により損壊可能な容器部と、この容器部の一部に備えられる把持部とを備え、少なくとも前記容器部に液状のマーキング用組成物が充てんされている、物品。
（２）前記把持部の外形は棒状体である、（１）記載の物品。
（３）前記把持部は、前記容器部内部と連通する筒状である、（１）又は（２）に記載の物品。
（４）前記マーキング用組成物は、着色料と粒材とを含有する、（１）〜（３）のいずれかに記載の物品。
（５）前記マーキング用組成物は、炭酸ガス発生剤を含有する、（１）〜（４）のいずれかに記載の物品。
（６）前記マーキング用組成物は、香料を含有する、（１）〜（５）のいずれかに記載の物品。
（７）前記マーキング用組成物は、不凍液を含有する、（１）〜（６）のいずれかに記載の物品。
（８）前記容器本体には、炭酸ガスが充てんされている、（１）〜（７）のいずれかに記載の物品。
（９）マーキング用組成物であって、
塗料と粒材と香料とを含有する、組成物。
（１０）さらに、炭酸ガス発生剤を含有する、（９）記載の組成物。
【０００７】
本発明のマーキング物品は、容器部と把持部とを備えるため、容易に把持でき、そのために遠投が可能となり、しかも標的に対する到達能力が向上する。したがって、マーキング性能が向上したマーキング物品となっている。
また、本発明のマーキング用組成物は、粒材を含有する場合には、マーキング成分の付着性が向上し、ガスあるいはガス発生剤を含有する場合には、拡散性が向上し、香料を含有する場合には、追跡性が向上されている。したがって、組成物それ自体のマーキング性能が向上されている。
【０００８】
【発明の実施の形態】
以下、本発明の実施の形態について説明する。
本発明のマーキング物品は、容器部とこの容器部の一部に備えられる把持部とを備えた容器本体を備えている。図１に本発明のマーキング物品２の典型的な一形態を示す。なお、本形態の提示は、単に例示のためであって、本発明の形態を限定すること意図するものではない。
容器本体４は、容器部６と把持部１６とを備えている。容器部６は、内部にマーキング組成物を収容可能な中空部を有している。容器部６の形態は特に限定しないが、球状、扁平球状、紡錘形状、雫形状、柱状、角錐状、及び円錐状のいずれかの形態を備えていることが好ましい。好ましくは、球状である。また、当該容器部６は、後述する把持部１６よりも外形として大きい部分を容器部６の主体としていることが好ましい。すなわち、マーキング組成物を充填した状態の把持時において、容器部６に重心があるような構成であることが好ましい。
【０００９】
また、収容等を考慮すると、当該容器部６自体が平面上に自立可能あるいは安定して載置可能であることが好ましい。したがって、容器部６の一部に床などの平面部に安定して当接しうる底部を備えていることが好ましい。かかる底部は、平坦な面状であってもよいし、安定して接触する線接触状であってもよい。
図１に例示する物品２にあっては、球状の容器部６の底部８の周縁１０が安定して平面に当接し、容器本体４の全体を自立可能としている。
【００１０】
把持部１６は、この容器部６の一部に備えられている。把持部１６は特に限定しないで２以上とすることもできるが、投てき操作等を考慮すると１箇所に把持部１６を備えていれば足りる。把持部１６は、把持できれば足りるため、中実状であっても中空状であってもよいが、中空状であることが好ましい。容器部６と容易に一体成形が可能であるからである。
また、把持部１６は好ましくは、外形棒状である。かかる形態であると安定して把持することができ、十分な把持力により遠投が可能となり標的到達性を高めることができる。好ましくは、片手で容易に把持できる程度の太さを有している。
把持部１６の外周面には、安定して把持可能に手指の納まる凹部を形成することもできる。
【００１１】
把持部１６は、容器部６を構成する外皮の外面に別個の部材として何らかの接着手段により固定されていてもよいが、容器部６の一部から連続して延出して設けることもできる。典型的には、把持部１６を、容器部６の内部と連通する中空を有する筒状に構成することができる。このような容器本体４の構成は、容器部６と把持部１６とが射出成型、ブロー成型及び真空成型等により一体の容器本体４として構成することができる。
図１に示す形態では、容器部６と把持部１６とは、全体としてフラスコ状の容器本体４を構成している。
【００１２】
このような容器本体４は、衝撃により少なくともその容器部６が損壊可能に構成されている。具体的には、アイゾット衝撃強度が０．５〜３ｋｇ・ｃｍ／ｃｍ２の範囲内であることが好ましい。当該範囲であると、衝突時における損壊性と投てき時を含めた非衝撃時以外において取扱いが容易であるからである。
かかる損壊可能性は、例えば、容器部６を、塩化ビニル樹脂、スチレン樹脂、エチレン−塩化ビニル共重合樹脂、ポリエステル樹脂、ポリプロピレン樹脂等の合成樹脂による成形体とすることにより容易に得ることができる。
【００１３】
このような容器本体４の容器部６には、液状のマーキング組成物が充填されている。マーキング組成物は、色、匂いなど容器に検出可能であって衝突物体に対して残留可能なマーキング成分と、この成分を溶解あるいは分散保持する液状培地とを含有している。
液状の媒体としては、特に限定しないが、水、アルコールなどの安全性が高い溶媒を使用することが好ましい。粘度は特に限定しないが、容器部の損壊時に拡散性が妨げられない範囲の粘性とすることができる。
媒体の一形態として、エチレングリコールなどのアルコールなどの各種不凍液を媒体の一部あるいは全部とすることができる。この場合、寒冷地や寒冷期における使用時においても、マーキング成分の分散保持と拡散性を確保でき、マーキング性を発揮させることができる。すなわち、不凍液をマーキング組成物の不凍性を確保できる程度に含有させることで、常時確実に本物品によるマーキング性能を確保でき、価値あるマーキング物品を提供することができるようになる。したがって、不凍液を含有させることは、常備する必要があるとともに確実に効果を発揮させる必要のあるマーキング物品には非常に有用である。
【００１４】
マーキング成分としての着色料は、染料あるいは顔料とすることができる。通常、水性あるいは油性塗料等として販売されているものを使用することができる。着色料による色は、好ましくは、黄色、赤色、オレンジ色、あるいは緑色などの明色とする。また、好ましくは、別途蛍光剤を併用するか、蛍光着色料を用いる。蛍光剤あるいは蛍光着色料の使用により暗中においても容易にマーキング能力を発揮することができる。
【００１５】
匂いを付与するマーキング成分としては、各種香料を用いることができる。香料は、ヒトのみならず警察犬などを利用した追跡に効果を発揮する。香料の種類は特に限定しないが、一般に使用されているものと区別が容易であることが好ましい。好ましくは、刺激性のある香料や異臭性のある香料である。具体的には、刺激臭を有する香料としては、植物由来の甘草（カンゾウ）、益智（ヤクチ）、生姜（ショウキュウ）等の薬草や、木香（モッコウ）、丁字（チョウジ）等の香辛料を用いることができる。また、異臭性のある香料としては、桂皮（ケイヒ）等を挙げることができる。なお、香料として、市販の丸剤などの製品を使用することができる。
これらの香料は、液状、粉末、粒状のいずれであってもよい。香料は、１種あるいは２種以上を組み合わせて用いることができる。２種以上の組み合わせとすることにより、検出性を高めることができる。
【００１６】
本発明のマーキング組成物には、これらのマーキング成分の拡散や付着性を高める成分を含有させることができる。
かかる成分の１つとして、粒材を使用することができる。容器部６の損壊時、粒材が飛散し、衝突物に接触あるいは付着することで、粒材に付着したマーキング成分が衝突物に付着される。また、粒材の添加により、組成物の飛散性も向上される。
粒材の大きさや形状は特に限定しないが、好ましくは、数ｍｍ内の寸法であり、好ましくは、５ｍｍ以下であり、より好ましくは０．２ｍｍ以上４ｍｍ以下である。さらに好ましくは、０．３ｍｍ以上１．２ｍｍ以下である。
粒材の形状は、好ましくは、球状である。繊維状や針状とすることもできる。
粒材は、好ましくは、液状のマーキング組成物中浮遊する程度の比重であることが好ましい。粒材の沈殿により、着色料等のマーキング成分の分散性が低下し、また、容器部６の損壊時においてマーキング成分の拡散性を低下させるおそれがあるからである。
かかる粒材の材質は特に限定しないが、合成樹脂製としては、例えば、スチレン等の合成樹脂製の中実あるいは発泡ビーズを用いることができる。
【００１７】
また、さらに他の成分として、ガス発生剤又はガスを使用することができる。容器部６にこれらが合わせて含まれていることにより、容器部６の損壊時に、マーキング成分の飛散性が向上される。ガスの発散によりマーキング成分が加速されるため、マーキング成分はより遠く到達し、かつより強く付着させることができる。
ガスとしては、安全性の高いガスであることが好ましい。例えば、炭酸ガス、水蒸気、アンモニア等とすることができる。これらのガスは、マーキング組成物の容器部６への充填時あるいは充填後に圧縮ガスとして充填することができる。
【００１８】
ガス発生剤としては、上記したこれらのガス、特に、炭酸ガスを含むガスの発生剤であることが好ましい。したがって、ガス発生剤としては、炭酸水素ナトリウム、重炭酸アンモニウム、炭酸アンモニウム、水素化ホウ素ナトリウム等から、１種あるいは２種以上を選択することができる。好ましくは、炭酸水素ナトリウムである。なお、これらの化合物の分解によって適切に容器部６内にガスを充填保持させるために、これらの化合物とともにその分解を促進するためのクエン酸などを別途添加することもできる。好ましくは、炭酸水素ナトリウムとクエン酸とを組み合わせて用いる。
【００１９】
マーキング組成物は、液状媒体の他、少なくとも１つのマーキング成分を含有していればよいが、好ましくは、着色料を含有し、さらに好ましくは、着色料と香料とを含有している。さらに、少なくとも１種以上の拡散あるいは付着促進作用のある成分を含有していることが好ましい。
マーキング成分と液状媒体とを少なくともマーキング組成物においては、香料は、０．００５ｗｔ％以上０．００１０ｗｔ％以下であることが好ましい。少なすぎるとマーキング効果が低すぎ、また、高すぎても逆に警戒されてしまうからである。
なお、マーキング組成物を着色料及び液状媒体として塗料を用いる場合、塗料を含むマーキング成分と拡散促進等の補助的成分との総量に対して、塗料が６０ｗｔ％以上９０ｗｔ％以下であることが好ましい。６０ｗｔ％未満の場合、飛散量が少なくなるため、マーキング効果が低下し、９０ｗｔ％を超えると、拡散性が低下する。
【００２０】
また、粒材は、５ｗｔ％以上２０ｗｔ％以下であることが好ましい。５ｗｔ％未満であると、粒材添加による付着性向上効果がえられなくなり、２０ｗｔ％を超えると、塗料などのマーキング成分の拡散性を低下させてしまうことになる。さらに、ガス発生材は、０．５ｗｔ％以上１．５ｗｔ％以下であることが好ましい。０．５ｗｔ％未満であると、マーキング成分の飛散向上性がでにくくなり、１．５ｗｔ％を超えると、容器部６の損壊性との関係が問題となる。
【００２１】
本発明のマーキング組成物は、以上説明した成分の他、特定配列を有するＤＮＡなどの核酸を、マーキング成分として含めることができる。ＤＮＡやＲＮＡは、その配列によって高い同定性を備えているからである。なお、このような核酸は、任意の塩基配列で人工的で合成することができる。
【００２２】
本発明の物品２は、かかるマーキング組成物を容器本体４に充填し、あるいは充填に付随して若しくは充填後にガスを充填することによって得ることができる。充填後には、少なくとも容器部６を密閉する。なお、図１に示す形態においては、容器部６に連通する把持部１６の開口部を密閉する形態となっている。
密閉後は、必要あれば、炭酸ガス発生剤などの分解を促進して容器部６にガスを発生させておくために、適宜加熱及び／又は攪拌若しくは振とうすることもできる。
【００２３】
【実施例】
以下、本発明を具体化した実施例について説明するが、これらの実施例は、本発明のよりわかりやすい説明を意図するものであって、本発明は以下の実施例に限定することを意図するものではない。
【００２４】
以下の表に示す配合に基づいてマーキング組成物を調製し、実施例１〜９のマーキング物品を作製した。マーキング組成物は、表１に示す成分を均一に攪拌混合することによって得られた。なお、容器本体として、図１に例示される形態を有するスチレン樹脂製のフラスコ状容器を用いた。球状の容器部は、直径８０ｍｍの球状であり、把持部は直径２５ｍｍの円筒状であった。容器の高さは１５０ｍｍであった。また、この容器の各部のアイゾット衝撃強度は、０．５〜３．０ｋｇ・ｃｍ／ｃｍ２の範囲であった。マーキング組成物の充填量は１８０ｍｌとした。結果を併せて表１に示す。
【００２５】
【表１】
2004184025.tif 000003
【００２６】
表１に示すように、いずれの物品も好ましい着色や匂いなどのマーキング効果を示した。特に、着色料（塗料）が６０〜９０ｗｔ％の範囲で好ましい着色効果が得られることがわかった。また、粒材は、５〜２０ｗｔ％の範囲で好ましい付着効果が得られることがわかった。さらに、炭酸ガス発生剤にあっては、０．５〜１．５ｗｔ％の範囲で好ましい拡散効果が得られることがわかった。
【００２７】
【発明の効果】
本発明によれば、把持が容易で投てきに適したマーキング物品を提供することができる。また、本発明によれば、マーキング性能に優れたマーキング組成物及びマーキング物品を提供することができる。
【図面の簡単な説明】
【図１】本発明の物品の一実施形態を示す図である。
【符号の説明】
２  マーキング物品
４  容器本体
６  容器部
１６  把持部
【図１】
2004184025.tif 000004